(57)【要約】  外装ケース及び強化要素を含む、シェルフレディパッケージ及びシェルフレディパッケージを製作する方法。
2018536599.tif 000002
【特許請求の範囲】
【請求項１】
少なくとも第１のブランク（６０）及び第２のブランク（６１）を含むシェルフレディパッケージ（１）であって、前記第１のブランク（６０）が、外装ケース（１ａ）に形成され、前記第２のブランク（６１）が、強化要素（１ｂ）に形成され、前記外装ケース（１ａ）は、取り外し不可能な要素（３１）と、第１の脆弱線（４０）によって形成される少なくとも部分的に取り外し可能な要素（３０）と、を含み、前記少なくとも部分的に取り外し可能な要素（３０）が、前記第１の脆弱線（４０）に沿って少なくとも部分的又は完全に取り外されることができるようにし、前記強化要素（１ｂ）が、前記外装ケース（１ａ）の内部にあり、前記強化要素（１ｂ）が、前記外装ケース（１ａ）の少なくとも１つの壁に対して、前記第１の脆弱線（４０）の少なくとも一部分を覆うように位置付けられており、前記強化要素（１ｂ）が、第２の脆弱線（４４）を含み、前記第２の脆弱線（４４）が、前記強化要素（１ｂ）に覆われた前記第１の脆弱線（４０）の少なくとも一部分に沿って続く、シェルフレディパッケージ（１）。
【請求項２】
前記第１のブランク（６０）が、
ａ）前壁（２）と、
ｂ）前記前壁（２）に対向する後壁（５）と、
ｃ）２つの対向する側壁（３）及び（４）と、
ｄ）上壁（６）を集合的に形成する上部（６２）、（６３）、（６４）、及び（６５）と、
ｅ）底壁（７）を集合的に形成する下部（７１）、（７２）、（７３）、及び（７４）と、を含む外装ケース（１ａ）に形成されている、請求項１に記載のシェルフレディパッケージ（１）。
【請求項３】
前記強化要素（１ｂ）が、少なくとも２つの面（５０）（５１）を含む、請求項１又は２に記載のシェルフレディパッケージ（１）。
【請求項４】
前記強化要素（１ｂ）が、前記外装ケース（１ａ）の少なくとも１つの壁に取り付けられている、請求項１〜３のいずれか一項に記載のシェルフレディパッケージ（１）。
【請求項５】
前記強化要素（１ｂ）が、前記外装ケース（１ａ）の１つの壁のみに取り付けられている、請求項１〜４のいずれか一項に記載のシェルフレディパッケージ（１）。
【請求項６】
前記強化要素（１ｂ）の少なくとも一区分が、前記外装ケース（１ａ）の前記壁のうちの１つと同様の高さを有する、請求項１〜５のいずれか一項に記載のシェルフレディパッケージ（１）。
【請求項７】
前記強化要素（１ｂ）が、前記側壁（３）（４）、前記前壁（２）、前記後壁（５）、及びこれらの組み合わせから選択される、前記外装ケース（１ａ）の前記壁のうちの少なくとも１つに対して位置付けられており、好ましくは前記強化要素（１ｂ）が、前記前壁（２）及び１つの前記側壁（３）（４）に対して位置付けられている、請求項１〜６のいずれか一項に記載のシェルフレディパッケージ（１）。
【請求項８】
前記強化要素（１ｂ）が、前記外装ケース（１ａ）の前記取り外し不可能な要素（３１）、前記外装ケース（１ａ）の前記少なくとも部分的に取り外し可能な要素（３０）、又は前記取り外し不可能な要素（３１）及び前記取り外し可能な要素（３０）の両方に取り付けられている、請求項１〜７のいずれか一項に記載のシェルフレディパッケージ（１）。
【請求項９】
前記強化要素（１ｂ）が、前記外装ケース（１ａ）の角部に位置付けられている、請求項１〜８のいずれか一項に記載のシェルフレディパッケージ（１）。
【請求項１０】
前記強化要素（１ｂ）が、前記外装ケース（１ａ）の角部に位置付けられており、架設要素（２３）によって共に連結された２つの面（５０）（５１）を含む、請求項８に記載のシェルフレディパッケージ（１）。
【請求項１１】
前記強化要素（１ｂ）は、前記第１のブランク及び前記第２のブランクが前記シェルフレディパッケージ（１）を形成するために折り畳まれ、扱われることを、前記強化要素（１ｂ）が妨げないように、構造化及び配置されている、請求項１〜１０のいずれか一項に記載のシェルフレディパッケージ（１）。
【請求項１２】
前記強化要素（１ｂ）の少なくとも一区分が、前記外装ケース（１ａ）の前記壁のうちの１つと同様の高さを有し、前記強化要素（１ｂ）が、前記外装ケース（１ａ）の角部に、前記前壁（２）及び１つの前記側壁（３）（４）に対して位置付けられ、架設要素（２３）によって共に連結された２つの面（５０）（５１）を含み、かつ波形層である、請求項１〜１１のいずれか一項に記載のシェルフレディパッケージ（１）。
【請求項１３】
請求項１に記載のシェルフレディパッケージ（１）を製造するためのプロセスであって、
（ａ）前記外装ケース（１ａ）の前記第１のブランク（６０）及び前記強化要素の前記第２のブランク（６１）を形成する工程と、
（ｂ）前記第１のブランク（６０）及び前記第２のブランク（６１）にミシン目を開けて、前記第１の脆弱線（４０）及び前記第２の脆弱線（４４）をそれぞれ形成する工程と、
（ｃ）最終的なブランクを形成するために、前記第１のブランク（６０）内に前記第２のブランク（６１）を位置付け、かつ任意に取り付けることによって、前記第１のブランク（６０）及び前記第２のブランク（６１）を共に組み立てる工程と、を含む、プロセス。
【請求項１４】
請求項１３に記載のシェルフレディパッケージ（１）を製造するためのプロセスであって、
（ｄ）前記最終的なブランクを折り畳み、前記最終的なブランクの最左端部分及び最右端部分を共に取り付ける工程と、
（ｅ）好ましくは接着剤、テープ、又はこれらの組み合わせを使用して、前下部（７２）及び後下部（７４）を共に接着し、前記底壁（７）を形成する工程と、
（ｆ）前記外装ケース（１ａ）内に物品を載置する工程と、
（ｇ）好ましくは接着剤、テープ、又はこれらの組み合わせを使用して、前上部（６３）及び後上部（６５）を共に接着し、上壁（６）を形成する工程と、を更に含む、プロセス。
【請求項１５】
ミシン目入り外装ケース（１ａ）の箱圧縮強度（ＢＣＴ）を改善するための、ミシン目入り強化要素（１ｂ）の使用。
【発明の詳細な説明】
【技術分野】
【０００１】
中に収容された物品を輸送及び陳列するための、積み重ね可能な外装ケースパッケージ。
【背景技術】
【０００２】
厚紙、板紙、又は同様の材料から製造されたカートン等の外装ケースは周知であり、小売物品等を含む様々な種類の物品を輸送及び保管するために使用される。シェルフレディパッケージは、まず物品を外装ケースから取り外す必要なく、外装ケースから直接、例えばスーパーの棚又は通路に、複数の物品を陳列することができる方法で、複数の物品を外装ケース中に包装するための手段である。シェルフレディパッケージ内に収容された個々の物品は、個々の包み、缶、瓶、袋、箱等であり得る。典型的には、シェルフレディパッケージは、外装ケースの脆弱線によって形成された、容易に取り外され得る、少なくとも部分的に取り外し可能な要素を含む。一度少なくとも部分的に取り外し可能な要素が取り外されると、中に収容された物品が顧客に陳列され、顧客は、陳列された物品を取り上げることができる。
【０００３】
店主は、物品が潜在的な顧客に対して見栄えのよいままであることを確実にする一方で、物品を積み重ねるためのコストを低減する更なる方法を常に探している。シェルフレディパッケージは、物品を外装ケースから取り外して棚に載置することに関連する時間のかかる手間を回避する。
【０００４】
典型的には、シェルフレディパッケージは、相反する目標に悩まされ、一方で、外装ケースは、積送及び荷扱い中に包みの中身を保護するために強い耐久性を提供する必要があり、一方で、シェルフレディパッケージケースは、店舗において開封が容易でなければならない。今日の標準的なシェルフレディパッケージの場合は、ケースが即時かつ容易に開封されるか、又はケースが圧力及び衝撃に対して極めて良好な耐久性を有するかのいずれかである。このようにして、ユーザのニーズに応じて、一方又は他方が選択されなければならない。開封の容易さ及び頑強さの難題は、例えば、手動の積み重ね中のような、又は自動倉庫システムが使用される、手荒な荷扱い状況において、より明らかになる。現行のシェルフレディパッケージは、そのような手荒な荷扱い条件中に、シェルフレディパッケージ及びその中に収容される製品の両方を損傷するという増大するリスクに、そぐわない傾向にある。
【０００５】
これにより、店舗における開封も容易である一方、積送中の損傷に対するより良好な耐久性を提供する、改善された構造的一体性を有するシェルフレディパッケージに対するニーズが残っている。
【０００６】
国際公開第２０１０９６７４１号は、カートン壁、及びカートン壁のうち少なくとも１つの内側面に隣接して配設された圧縮抵抗構造体を含むカートンを開示する。米国特許出願公開第２００７／００６３００５号は、複層カートンブランクから形成されるカートンを開示する。このカートンブランクは、主要ブランクと、主要ブランクの上に重なる１つ以上の補強ブランクとを含む。国際公開第２０１２／１１９１９８号は、蓋を有するカートンを開示し、このカートンは、カートン基板及び脆弱線に沿って基板に連結された取り外し可能な蓋を含む。
【先行技術文献】
【特許文献】
【０００７】
【特許文献１】国際公開第２０１０９６７４１号
【特許文献２】米国特許出願公開第２００７／００６３００５号
【特許文献３】国際公開第２０１２／１１９１９８号
【発明の概要】
【課題を解決するための手段】
【０００８】
本発明は、少なくとも第１のブランク及び第２のブランクを含むシェルフレディパッケージであって、第１のブランクが、外装ケースに形成され、第２のブランクが、強化要素に形成され、外装ケースは、取り外し不可能な要素と、第１の脆弱線によって形成される少なくとも部分的に取り外し可能な要素と、を含み、少なくとも部分的に取り外し可能な要素が、第１の脆弱線に沿って少なくとも部分的又は完全に取り外されることができるようにし、強化要素が、外装ケースの内部にあり、強化要素が、外装ケースの少なくとも１つの壁に対して、第１の脆弱線の少なくとも一部分を覆うように位置付けられており、強化要素が、第２の脆弱線を含み、第２の脆弱線が、強化要素に覆われた第１の脆弱線の少なくとも一部分に沿って続く、シェルフレディパッケージに関する。
【０００９】
更に、本発明は、本発明に従ったシェルフレディパッケージの製造プロセスに関する。
【００１０】
更に、本発明は、ミシン目入り外装ケースの箱圧縮強度（ＢＣＴ）を改善するための、ミシン目入り強化要素の使用に関する。
【図面の簡単な説明】
【００１１】
【図１】外装ケース（１ａ）内に強化要素（１ｂ）を有するシェルフレディパッケージ（１）の斜視図である。外装ケース（１ａ）は、前壁（２）、該当の前壁（２）に対向する後壁（５）、２つの対抗する側壁（３）及び（４）、上壁（６）を集合的に形成する上部（６２）、（６３）、（６４）、及び（６５）、並びに底壁（７）を集合的に形成する下部（７１）、（７２）、（７３）、及び（７４）を含み、外装ケース（１ａ）は、取り外し不可能な要素（３１）、及び第１の脆弱線（４０）によって形成される少なくとも部分的に取り外し可能な要素（３０）を含む。強化要素（１ｂ）は、第２の脆弱線（４４）、及び外装ケース（１ａ）の壁のうち１つに各々向き合う２つの面（５０）（５１）を含む。
【図２】取り外し不可能な要素（３１）、及び第１の脆弱線（４０）によって形成される少なくとも部分的に取り外し可能な要素（３０）を含む、図１の外装ケース（１ａ）の斜視図である。少なくとも部分的に取り外し可能な要素（３０）は、前面（３２）、上面（３６）、及び１つの側面（３３）を含む。外装ケースは、第３の脆弱線（３９）によって定義される把持部材（３８）も含む。
【図２ａ】ミシン目コンポーネント（４１）及びランドコンポーネント（４２）によって形成される第１の脆弱線（４０）を含む、図２の外装ケース（１ａ）の拡大図を示す。
【図３】本発明の外装ケース（１ａ）を製造するために使用され得る第１のブランク（６０）の図である。第１のブランク（６０）は、２つの側壁（３）（４）、前壁（２）、及び後壁（５）を有する。前壁（２）、２つの側壁（３）（４）、及び後壁（５）の各々が、上壁を集合的に形成する上部（６２）、（６３）、（６４）、及び（６５）それぞれ、並びに底壁を集合的に形成する下部（７１）、（７２）、（７３）、及び（７４）それぞれを含む。第１のブランク（６０）は、取り付け用継ぎ目（８１）を含む。
【図４】図２の外装ケース（１ａ）の斜視図である。  少なくとも部分的に取り外し可能な要素（３０）は取り除かれており、取り外し不可能な要素（３１）は残っている。
【図５】取り外し可能な部分（２１）及び脆弱線（４４）によって形成される取り外し不可能な部分（２２）を含む本発明の強化要素（１ｂ）を製造するために使用され得る第２のブランク（６１）の図である。図５の強化要素は、架設要素（２３）によって共に連結される２つの面（５０）（５１）を有する。
【図６】取り外し可能な部分（２１）及び脆弱線（４４）によって形成される取り外し不可能な部分（２２）を含む強化要素（１ｂ）の斜視図である。図６の強化要素は、架設要素（２３）によって共に連結される２つの面（５０）（５１）を有する。架設要素（２３）は、一連の筋付け線（２６）（２７）によって構築される。
【図６ａ】図６の架設要素（２３）を含む強化要素（１ｂ）の拡大図を示す。
【図７】第１のブランク（６０）内に第２のブランク（６１）を位置付け、任意に取り付けることによる、第１のブランク（６０）及び第２のブランク（６１）の組立品の図である。  強化要素（１ｂ）は、外装ケース（１ａ）の少なくとも１つの壁に対して、第１の脆弱線（４０）の少なくとも一部分を覆うように位置付けられる。  第２の脆弱線（４４）は、強化要素（１ｂ）に覆われた第１の脆弱線（４０）の少なくとも一部分に沿って続く。
【図８】第２の脆弱線（４４）が外装ケース（１ａ）の第１のものに沿って続くが、（部分的に沿って続く）２つの脆弱線の間の小さな間隙を有することを除いて、図７と同様である。
【図９】外装ケース（１ａ）内に強化要素（１ｂ）を有するシェルフレディパッケージ（１）の斜視図である。強化要素（１ｂ）は、一連の筋付け線（２６）（２７）によって構築される架設要素（２３）を有する。
【発明を実施するための形態】
【００１２】
シェルフレディパッケージ（１）：
店舗における開封が容易なままである一方、積送及び荷扱い中に包みの中身を保護するために強い耐久性を提供する十分な構造的一体性を有するシェルフレディパッケージ（１）は、少なくとも第１のブランク（６０）及び第２のブランク（６１）を含むシェルフレディパッケージ（１）を提供することにより達成されることができ、第１のブランク（６０）は、外装ケース（１ａ）に形成され、第２のブランク（６１）は、強化要素（１ｂ）に形成される。外装ケース（１ａ）は、少なくとも部分的に取り外し可能な要素（３０）が、第１の脆弱線（４０）に沿って少なくとも部分的又は完全に取り外されることができるように、取り外し不可能な要素（３１）、及び第１の脆弱線（４０）によって形成される少なくとも部分的に取り外し可能な要素（３０）を含む。強化要素（１ｂ）は、外装ケース（１ａ）の内部にあり、外装ケース（１ａ）の少なくとも１つの壁に対して、第１の脆弱線（４０）の少なくとも一部分を覆うように位置付けられ、したがって、外装ケース（１ａ）の一体性を改善し、外装ケース（１ａ）を荷扱い及び輸送中の脆弱線での押し開けから保護する。強化要素（１ｂ）は第２の脆弱線（４４）を含み、第２の脆弱線（４４）は強化要素（１ｂ）に覆われた第１の脆弱線（４０）の少なくとも一部分に沿って続き、したがって、強化要素（１ｂ）の少なくとも一部分が取り外し可能であり、それゆえ、外装ケース（１ａ）内に収容された物品への接近を妨げないため、シェルフレディパッケージ（１ａ）が容易に裂いて開けられるようにすることを可能にし、第２の脆弱線（４４）が第１の脆弱線（４０）の少なくとも一部分に沿って続くため、両方の線は、ユーザによって１つの単独の動作でなお容易に破られる。
【００１３】
更に、強化要素（１ｂ）は、（ＩＳＯ  １２０４８に従ったＢＣＴ法を使用して測定される場合）外装ケース（１ａ）内で、強化ピラーに形成され得、したがって、ケースの箱圧縮強度の著しい増大を提供する。強化要素（１ｂ）は、より弱い外装ケース材料を使用した場合でさえ、適当な構造的一体性を確実にすることもできる。このように、外装ケース材料は、マイクロフルート、ソリッドファイバー、Ｅフルート（典型的には約１．５ミリメートルの厚さ）、又はＢフルート（典型的には約３ミリメートルの厚さ）から選択され得るが、これらに限定されない。外装ケース材料としての使用に好適な他の材料は、Ｃフルート（典型的には約４ミリメートルの厚さ）又はＥＢフルート（典型的には約４．５ミリメートルの厚さ）から選択され得るが、これらに限定されない。
【００１４】
本発明のシェルフレディパッケージ（１）は、少なくとも第１のブランク（６０）及び第２のブランク（６１）を含み、第１のブランク（６０）が、外装ケース（１ａ）に形成され、第２のブランク（６１）が、強化要素（１ｂ）に形成され、外装ケース（１ａ）は、取り外し不可能な要素（３１）と、第１の脆弱線（４０）によって形成される少なくとも部分的に取り外し可能な要素（３０）と、を含み、少なくとも部分的に取り外し可能な要素（３０）が、第１の脆弱線（４０）に沿って少なくとも部分的又は完全に取り外されることができるようにし、強化要素（１ｂ）が、外装ケース（１ａ）の内部にあり、強化要素（１ｂ）は、第２の脆弱線（４４）を含み、強化要素（１ｂ）は、外装ケース（１ａ）の少なくとも１つの壁に対して、第１の脆弱線（４０）の少なくとも一部分を覆うように位置付けられており、第２の脆弱線（４４）が、強化要素（１ｂ）に覆われた第１の脆弱線（４０）の少なくとも一部分に沿って続く。
【００１５】
本発明に従ったシェルフレディパッケージ（１）を、図１及び図９に示す。
【００１６】
このようなシェルフレディパッケージの寸法は、典型的には、幅及び長さが５０〜４００ミリメートル、高さが４００ミリメートル未満であるが、これらの寸法は、どのような物品がシェルフレディパッケージ（１）内に収容されると意図されるかに応じて変動することができる。
【００１７】
液体洗濯瓶、粉末洗濯袋、布地柔軟剤等の布ケア製品、食器洗浄剤、床洗浄剤等を含む家庭用洗浄剤、保湿剤、化粧料、シャンプー、シェービング製品等のパーソナルケア製品、おむつ袋、香水、ペットフード、及びこれらの組み合わせを含む、任意の好適な物品が、シェルフレディパッケージ（１）内に収容されることができる。
【００１８】
このようなシェルフレディパッケージを、シェルフレディパッケージ（１）の少なくとも１つの層を備えるパレット上で、小売店出口等に配送することができる。より好ましくは、このようなパレットは、少なくとも１層、より好ましくは少なくとも２層のシェルフレディパッケージ（１）を含む。本発明のシェルフレディパッケージ（１）の改善された強度は、より高い積み重ねの高さを可能にする。シェルフレディパッケージ（１）の最大層数は、配送トラックのサイズによって、典型的には、４〜８、より典型的には、例えば、６である。
【００１９】
脆弱線（４０）（４４）：
外装ケース（１ａ）は、取り外し不可能な要素（３１）、及び第１の脆弱線（４０）によって形成される少なくとも部分的に取り外し可能な要素（３０）を含む。少なくとも部分的に取り外し可能な要素（３０）は、少なくとも部分的に取り外し可能な要素（３０）を外装ケース（１ａ）から第１の脆弱線（４０）に沿って分離することによって、取り外されるか又は部分的に取り外されることができる。
【００２０】
第１の脆弱線（４０）は、好ましくは、ループを形成するように本質的に連続であり、少なくとも部分的に取り外し可能な要素（３０）が、工具を使用せずに、好ましくは手で完全に取り除かれる（図４参照）ことができるようになっている。用語「本質的に連続」は、少なくとも部分的に取り外し可能な要素（３０）が手で容易にかつ完全に取り外され得ることを意味する。しかしながら、第１の脆弱線（４０）は、少なくとも部分的に取り外し可能な要素（３０）が部分的に取り付けられたままであるように、不連続であってもよい。例えば、取り外し可能な要素の内面は、図、広告、使用方法、及びこれらの組み合わせを備える。図２ａは、ミシン目コンポーネント（４１）及びランドコンポーネント（４２）を含む、連続した第１の脆弱線（４０）を示す図２の範囲の拡大図である。ミシン目コンポーネント（４１）及びランドコンポーネント（４２）の寸法は、シェルフレディパッケージ（１）の容易かつきれいな開封を可能にする一方で、少なくとも部分的に取り外し可能な要素（３０）を取り外す前の物品の保護を確実にするように定義されている。連続する第１の脆弱線（４０）のミシン目コンポーネント（４１）は、好ましくは長さが１．５〜１５ミリメートル、より好ましくは長さが３〜６ミリメートルである。ミシン目コンポーネント（４１）は、好ましくは、第１のブランク（６０）を形成する材料の全厚さを好ましくは貫通する孔又はスリットからなる。ミシン目コンポーネント（４１）及びランドコンポーネント（４２）は、第１の脆弱線（４０）に沿って配向されることができる。あるいは、取り外し可能な要素（３０）の一部又は全部を取り外すために必要な力を増大させるために、ミシン目コンポーネント（４１）の一部又は全部は、第１の脆弱線（４０）の方向から角度をつけて配向されることができる。あるいは、又は加えて、より強い第１の脆弱線（４０）が所望される場合、ミシン目はカートンブランクを形成する材料の厚さを途中まで貫通することができる。あるいは、ミシン目コンポーネント（４１）の長さを低減させ、それに対応してランドコンポーネント（４２）の長さを増大させることによって、より強い第１の脆弱線（４０）が提供され得る。第１の脆弱線（４０）のランドコンポーネント（４２）は、好ましくは、長さが１．５〜４ミリメートル、より好ましくは、長さが２．５ミリメートル〜３．５ミリメートルである。
【００２１】
加えて、第１の脆弱線（４０）は、好ましくは、少なくとも１０ミリメートルの方向転換点における最小半径を有する。本明細書で使用されるとき、方向転換点は容器の角部を含まない。最小半径は、シェルフレディパッケージ（１）から少なくとも部分的に取り外し可能な要素（３０）を容易かつきれいに取り外すのに役立つ。方向転換点の半径は、好ましくは２０〜５０ミリメートルである。外装ケース（１ａ）の少なくとも部分的に取り外し可能な要素（３０）は、前壁（２）、側壁（３）及び（４）、上壁（６）、並びにこれらの組み合わせ上に存在することができる。少なくとも部分的に取り外し可能な要素（３０）は、好ましくは、前面（３２）を含み、より好ましくは、少なくとも部分的に取り外し可能な要素（３０）は、前面（３２）及び上面（３６）を含む。更により好ましくは、少なくとも部分的に取り外し可能な要素（３０）は、前面（３２）、上面（３６）、及び少なくとも１つの側面（３３）を有する。少なくとも部分的に取り外し可能な要素（３０）は、前面（３２）、上面（３６）、及び１つの側面（３３）からなることができ、シェルフレディパッケージ（１）の上に載置され得る他のシェルフレディパッケージを支えるために、角部、側壁（３）又は（４）、並びに後壁（５）も提供する一方で、少なくとも部分的に取り外し可能な要素（３０）が取り外された後に、シェルフレディパッケージ（１）内に収容された物品を見て、かつ取り外すための大きな開口部を提供する。
【００２２】
強化要素（１ｂ）は、第２の脆弱線（４４）を含む。第１の脆弱線（４０）及び第２の脆弱線（４４）は、同一であっても異なっていてもよい。
【００２３】
第２の脆弱線（４４）は、強化要素（１ｂ）に覆われた第１の脆弱線（４０）の少なくとも一部分に沿って続く。したがって、強化要素（１ｂ）が、外装ケース（１ａ）の少なくとも１つの壁に対して、第１の脆弱線（４０）の一部を覆うように位置付けられるため、第２の脆弱部（４４）は、この被覆部に沿った第１の脆弱線に沿って少なくとも部分的に続く。
【００２４】
「沿って続く」とは、第１の脆弱線（４０）に沿って第２の脆弱線（４４）が続き、それが第１のものから約１０ミリメートル以下逸脱し、両方の線が、ユーザによって１つの単独の動作で容易に破られ得るようになることを意味する。それゆえ、２本の線は、ぴったり沿って（重なって）、又は部分的に沿って、互いに続くことができる（図７及び図８参照）。
【００２５】
第１の脆弱線（４０）及び第２の脆弱線（４４）は、筋付け、ミシン目入れ、及びこれらの組み合わせのような任意の既知の手段を使用して、製造されてもよい。脆弱線は、単一の線であってもよく、又は開封帯構成を構成するような一連の線であってもよい。好ましくは、外装ケース（４０）又は強化要素（４４）の脆弱線は、図で示されるようにミシン目である。
【００２６】
筋付けは、カートンブランク又は形成されたカートン上に載置された、ナイフ又は鋭利な要素に好適な圧力を加えることによって達成され得る。パンチピン（典型的にはドット又はスリットの形状）、カッティングディスク、又はレーザーのような任意の好適な手段を使用して、ミシン目脆弱線を形成することができる。
【００２７】
外装ケース（１ａ）：
シェルフレディパッケージ（１）は、外装ケース（１ａ）に形成された第１のブランク（６０）を含む。
【００２８】
外装ケース（１ａ）は、
ａ）前壁（２）と、
ｂ）その前壁（２）に対向する後壁（５）と、
ｃ）２つの対向する側壁（３）及び（４）と、
ｄ）上壁（６）を集合的に形成する上部（６２）、（６３）、（６４）、及び（６５）と、
ｅ）底壁（７）を集合的に形成する下部（７１）、（７２）、（７３）、及び（７４）と、を含むことができる。
【００２９】
接着テープ、接着剤、及びこれらの組み合わせを使用して、下部（７１）、（７２）、（７３）、及び（７４）は、好ましくは、底壁（７）に形成されるが、接着剤が好ましい。
【００３０】
第１のブランク（６０）は、第１のブランク（６０）の最左端部分及び最右端部分を、例えば接着剤によって共に連結するために、取り付け用継ぎ目（８１）を含むことができる。
【００３１】
外装ケース（１ａ）は、板紙、プラスチック、及びこれらの組み合わせのような任意の好適な材料から製造され得る。段ボールであってもなくてもよい。そのサイズ、仕上がり、強度、材料、剛性、及び印刷は変えることができ、必要な強度と装飾を与える。
【００３２】
強化要素（１ｂ）：
シェルフレディパッケージ（１）は、強化要素（１ｂ）に形成された第２のブランク（６１）を更に含む。強化要素（１ｂ）は、第２の脆弱線（４４）を含む。強化要素（１ｂ）は、外装ケース（１ａ）の内部にある。強化要素（１ｂ）は、外装ケース（１ａ）の少なくとも１つの壁に対して、第１の脆弱線（４０）の少なくとも一部分を覆うように位置付けられる。強化要素（１ｂ）は、内部から覆われた第１の脆弱線（４０）の一部の耐久性を改善し、したがって、ミシン目入りケースの容易な開封を可能にする一方、荷扱い及び輸送中の外装ケース（１ａ）を脆弱線での押し開けから保護する。
【００３３】
強化要素（１ｂ）は、少なくとも２つの面（５０）（５１）を含む。好ましくは、強化要素（１ｂ）は、２つの面（５０）（５１）を有する。より好ましくは、強化要素（１ｂ）の少なくとも２つの面（５０）（５１）は、架設要素（２３）によって共に連結され得る。面（５０）（５１）とは、外装ケース（１ａ）の壁のうちの１つに向き合う強化要素（１ｂ）の一部を意味する。２つの面（５０）（５１）は、例えば、少なくとも１つの筋付け線、ちょうつがい、任意の種類の折り畳み、又は好ましくは架設要素（２３）によって、共に連結され得る。
【００３４】
強化要素（１ｂ）は、板紙、プラスチック、及びこれらの組み合わせのような任意の好適な材料から製造され得る。段ボールであってもなくてもよい。そのサイズ、仕上がり、強度、材料、剛性、及び印刷は変えることができ、必要な強度と装飾を与える。
【００３５】
強化要素（１ｂ）は、波形層であってもよい。波形層は、ケースの垂直強度を改善するために特に好適である。
【００３６】
強化要素（１ｂ）は、外装ケース（１ａ）の内部に位置付けられ、及び任意に取り付けられた、外装ケース（１ａ）とは別の品物である。
【００３７】
「取り付けられる」とは、接着剤のような任意の一般的な取り付けの手段によって結び合わされることを意味する。
【００３８】
強化要素（１ｂ）は、外装ケース（１ａ）内に取り外し可能な部分（２１）及び取り外し不可能な部分（２２）を含むことができる。
【００３９】
強化要素（１ｂ）の取り外し可能な部分（２１）は、取り付けられる場合、外装ケース（１ａ）の少なくとも部分的に取り外し可能な要素（３０）のみに取り付けられるべきである。強化要素（１ｂ）の取り外し不可能な部分（２２）は、取り付けられる場合、外装ケース（１ａ）の取り外し不可能な要素（３１）のみに取り付けられるべきである。
【００４０】
強化要素（１ｂ）は、外装ケース（１ａ）の取り外し不可能な要素（３１）及び少なくとも部分的に取り外し可能な要素（３０）の両方に取り付けられ得る。上述のように、強化要素（１ｂ）の取り外し可能な部分（２１）は、外装ケース（１ａ）の少なくとも部分的に取り外し可能な要素（３０）に取り付けられ得、強化要素（１ｂ）の取り外し不可能な部分（２２）は、外装ケース（１ａ）の取り外し不可能な要素（３１）に取り付けられ得る。取り付けは、ミシン目入りケースが開封された後でさえも、強化要素（１ｂ）の取り外し不可能な部分（２２）が外装ケース（１ａ）内に残るため、外装ケース（１ａ）の一体性に強化効果を提供する。
【００４１】
強化要素（１ｂ）の垂直方向の端部は、本質的に直線、かつ外装ケース（１ａ）の垂直方向の縁部と本質的に平行に位置付けられてもよく、耐衝撃性最適化又は最良保護ボール紙の使用若しくはこれらの組み合わせのために形作られてもよい。どの方向に外装ケース（１ａ）の最大支持が所望されるかに応じて、（保護ボール紙として段ボールが使用される際には）保護ボール紙の波形フルートの配向は、垂直又は水平に配向されることができる。ブランクがシェルフレディパッケージ（１）を形成するために折り畳まれ、扱われることを、強化要素（１ｂ）が妨げないように、強化要素（１ｂ）は、構造化及び配置されてもよい。
【００４２】
容易な折り畳みという更なる利益のために、強化要素（１ｂ）は外装ケース（１ａ）の１つの壁のみに取り付けられることができる。折り畳みの際には、したがって、強化要素（１ｂ）が外装ケース（１ａ）内でスライドすることができるので、それゆえ、シェルフレディパッケージ（１）は容易に扁平に折り畳まれることができる。
【００４３】
強化要素（１ｂ）は、外装ケース（１ａ）内で追加の強化ピラーに形成されることにより、圧力又は衝撃下の外装ケース（１ａ）全体の破壊及び崩壊に対する耐性を更に増大させることができる。
【００４４】
強化要素（１ｂ）の少なくとも１つの区分は、外装ケース（１ａ）の壁のうちの１つと同様の高さを有し得、どの方向に外装ケース（１ａ）の最大支持が所望されるかに応じて、ケースに垂直又は水平強度、好ましくは垂直強度を与えるために、外装ケース（１ａ）の上記壁の外周内に嵌合し得る。「同様の高さ」とは、強化要素（１ｂ）の上述の区分と外装ケース（１ａ）の上記壁との間の約５％未満の高さの差を意味する。
【００４５】
ケースに垂直強度を与えるために、強化要素（１ｂ）は、側壁（３）及び（４）、前壁（２）、後壁（５）、並びにこれらの組み合わせから選択される、外装ケース（１ａ）の壁のうちの少なくとも１つに対して位置付けられていることができ、好ましくは強化要素（１ｂ）が、前壁及び１つの側壁（３）（４）に対して位置付けられている。
【００４６】
強化要素（１ｂ）は、外装ケース（１ａ）の角部に位置付けられることができる。強化要素は、Ｌ字形を有することができ、このような強化要素は、９０度の角度未満で共に連結される少なくとも２つの面（５０）（５１）を含む。
【００４７】
強化要素（１ｂ）は、架設要素（２３）を含むことができる（図６及び図６ａ参照）。架設要素（２３）は、一連の筋付け線（２６）（２７）、３０〜６０度、好ましくは約４５度の角度未満の少なくとも２つの筋付け線によって構築されることができる。架設要素は強化要素（１ｂ）の２つの面（５０）（５１）を共に連結し、外装ケース（１ａ）の角部にかかっており、それゆえ、Ｌ字型構造とは異なって、強化要素（１ｂ）が外装ケース（１ａ）の角部を塞ぐことを回避することによって、架設要素（２３）を含む強化要素（１ｂ）は、シェルフレディパッケージ（１）の容易な折り畳みを可能にする。好ましくは、強化要素（１ｂ）は、角部に位置付けられ、架設要素（２３）によって共に連結された２つの面（５０）（５１）を含む。
【００４８】
シェルフレディパッケージ（１）は、外装ケース（１ｂ）の１つの壁のみに取り付けられた架設要素（２３）を含む強化要素（１ｂ）を含む。強化要素（１ｂ）は外装ケース（１ａ）内で容易にスライドし、強化要素（１ｂ）は外装ケース（１ａ）の角部を塞がないため、シェルフレディパッケージ（１）を扁平に折り畳むことが容易であるという更なる利益を提供する。
【００４９】
上に掲示されたような更なる利益の組み合わせのため、シェルフレディパッケージ（１）は、強化要素（１ｂ）を含むことができ、強化要素（１ｂ）の少なくとも一区分が、外装ケース（１ａ）の壁のうちの１つと同様の高さを有し、強化要素（１ｂ）が、外装ケース（１ａ）の角部に、前壁（２）及び１つの側壁（３）（４）に対して位置付けられ、架設要素（２３）によって共に連結された２つの面（５０）（５１）を含み、かつ波形層である。更なる利益のために、上記強化要素（１ｂ）は外装ケース（１ｂ）の１つの壁のみに取り付けられることができる。
【００５０】
把持部材：
把持部材（３８）は、少なくとも部分的に取り外し可能な要素（３０）の取り外しを補助するために任意に使用することができる。好ましくは、本発明は、少なくとも部分的に取り外し可能な要素（３０）の少なくとも２つの面上に少なくとも１つの把持部材（３８）を使用する。より好ましくは、少なくとも部分的に取り外し可能な要素（３０）は、前面（３２）及び上面（３６）を含み、前面（３２）及び上面（３６）の両方は、少なくとも１つの把持部材（３８）を含み、少なくとも部分的に取り外し可能な要素（３０）の分離が前面（３２）又は上面（３６）のいずれかから開始することを可能にする。使用される場合は、このような把持部材は脆弱線（４０）に隣接して位置付けられる。したがって、人は、把持部材（３８）を引き、少なくとも部分的に取り外し可能な要素（３０）の上面（３６）のシェルフレディパッケージ（１）からの分離を開始する。好ましくは、把持部材（３８）は、少なくとも部分的に取り外し可能な要素（３０）がシェルフレディパッケージ（１）から分離されるときに、少なくとも部分的に取り外し可能な要素（３０）に取り付けられたままである。
【００５１】
把持部材（３８）は、第３の脆弱線（３９）によって定義されることができる。各第３の脆弱線（３９）は、その全長に沿って均一な分離に対する抵抗を示し、又はその長さに沿った分離に対する抵抗が交互に変化していてもよい。好ましくは、各第３の脆弱線（３９）は、その長さに沿って分離に対する抵抗が変化し、各把持部材（３８）が、壁から部分的にのみ分かれることを可能にする（すなわち、第１の領域に沿って分離され、第３の脆弱線（３９）の残っている１つ以上の領域に沿って回転しながら外される）。これは、別の廃棄問題を回避する。第３の脆弱線（３９）は、異なる寸法のランドコンポーネント及びミシン目コンポーネントを有することにより、その長さに沿って分離に対する異なる抵抗を有する任意のそれぞれの線を有するミシン目であり得る。好ましくは、これら第３の脆弱線（３９）は、第１の脆弱線（４０）よりも弱い。
【００５２】
把持部材（３８）は、少なくとも１本の人の指、好ましくは２本の指を受容しやすい十分なサイズ及び形状であるべきである。あるいは、少なくとも部分的に取り外し可能な要素（３０）をシェルフレディパッケージ（１）から取り外すために、フックのような種々の工具を把持部材（３８）に挿入することができる。
【００５３】
製造プロセス：
シェルフレディパッケージ（１）は、手などの任意の好適な手段を使用して、好ましくは、自動化された梱包ライン上で形成することができる。このようなプロセスは、
（ａ）外装ケース（１ａ）の第１のブランク（６０）及び強化要素の第２のブランク（６１）を形成する工程と、
（ｂ）第１のブランク（６０）及び第２のブランク（６１）にミシン目を開けて、第１の脆弱線（４０）及び第２の脆弱線（４４）をそれぞれ形成する工程と、
（ｃ）最終的なブランクを形成するために、第１のブランク（６０）内に第２のブランク（６１）を位置付け、かつ任意に取り付けることによって、第１のブランク（６０）及び第２のブランク（６１）を共に組み立てる工程（図７及び図８参照）と、
【００５４】
任意に、
（ｄ）最終的なブランクを折り畳み、最終的なブランクの最左端部分及び最右端部分を共に取り付ける工程と、
（ｅ）好ましくは接着剤、テープ、又はこれらの組み合わせを使用して、前下部（７２）及び後下部（７４）を共に接着し、底壁（７）を形成する工程（図７参照）と、
（ｆ）外装ケース（１ａ）内に物品を載置する工程と、
（ｇ）好ましくは接着剤、テープ、又はこれらの組み合わせを使用して、前上部（６３）及び後上部（６５）を共に接着し、上壁（６）を形成する工程と、を含むことができる。
【００５５】
シェルフレディパッケージ（１）は、自動化された梱包ライン上で好ましくは組み立てられる。
【００５６】
カートンブランク（６０）（６１）は、板紙、プラスチック、及びこれらの組み合わせのような任意の好適な材料から製造され得る。カートンブランク（６０）（６１）は、段ボールであってもなくてもよく、好ましくは、軽量の利益のために段ボールであり得る。
【００５７】
カートンブランク（６０）（６１）は、典型的に板紙から、通常はロール状で製造される。板紙は、典型的に印刷のために巻き戻され、印刷された板紙は後の使用のために巻き直されるか、又は直ちに波形にされる。あるいは、波形化の後に印刷が行われ得る。
【００５８】
典型的には、波形ホイールを通して板紙を走行させて波層（しばしば中芯又はフルートと呼ばれる）を形成することによって、波形化は達成される。コルゲータ内に、更なる２つの板紙ロールを順次又は同時のいずれかで供給し、波層上に接着して単壁段ボールの内層及び外層を形成する。内層及び外層の一方又は両方に印刷することができる。
【００５９】
また、段ボールは、片面（１層のライナー及び１層の中芯）、二重壁（２層の中芯を間に有する３層のライナー）などの他の構造を有することができる。
【００６０】
典型的には、段ボールは矩形のシート（ブランクとも呼ばれる）に裁断され、又は所望の形状に直接切断されてカートンブランク（６０）（６１）を形成することができる。同時に、又はその後、カートンブランク（６０）（６１）に脆弱線（４０）（４４）を形成することができる。
【実施例】
【００６１】
箱圧縮強度（ＢＣＴ）への強化要素の利益
ケースをシェルフレディパッケージ（shelf ready package、（ＳＲＰ））に変えるために、段ボール製の外装ケースにはミシン目を使用することが多い。ミシン目を含むことにより、外装ケースが弱くなり、その箱圧縮強度（box compression strength（ＢＣＴ））は低減する。下の比較試験は、本発明に従ったシェルフレディパッケージ（１）を形成するために強化要素を挿入することによって、箱圧縮強度の損失を補償できることを示す。
【００６２】
箱圧縮強度（ＢＣＴ）の定量は、ＩＳＯ１２０４８に従って行われる。
【００６３】
ミシン目のない外装ケース、ミシン目を有する外装ケース、及びミシン目を有し、かつ強化要素を含む外装ケースという３種類の外装ケースを試験してＢＣＴを求める。
【００６４】
種類毎に２つの外装ケースの試験を行う。全ての外装ケースは、以下の設定を使用して空で試験される。
−外装ケースの寸法：Ｌ×Ｗ×Ｈ：３００×２４０×２８９ｍｍ
−折り畳まれた強化要素の寸法：Ｌ×Ｗ×Ｈ：２７０×２３２×２７２ｍｍ
−実験室の状態：２３℃／相対湿度５０％
−Ｌｌｏｙｄ  ＬＲ５Ｋ＋器具で試験
−圧縮速度：１２．５ｍｍ／分
【００６５】
外装ケース及び強化要素には同一のボール紙組成を用いる（Ｃフルート：５３５ｇｓｍ）。試験は２回繰り返され、平均化された結果は平均箱圧縮強度（平均ＢＣＴ）を提供する。
【００６６】
【表１】
2018536599.tif 000003
【００６７】
表１の結果から理解されることができるように、ミシン目は外装ケースの箱圧縮強度（ＢＣＴ）を弱めるが、強化要素を加えて、本発明に従ったシェルフレディパッケージ（１）を形成することは、ミシン目によって引き起こされたＢＣＴの損失を補償できるだけでなく、外装ケースのＢＣＴを更に大幅に改善することができる。
【００６８】
本明細書に開示した寸法及び値は、記載された正確な数値に厳密に限定されるものと理解されるべきではない。むしろ、特に指定がない限り、そのような各寸法は、記載された値、及びその値の周辺の機能的に同等の範囲の両方を意味することを意図している。例えば、「４０ｍｍ」として開示される寸法は、「約４０ｍｍ」を意味するものとする。
【図１】
2018536599.tif 000004
【図２】
2018536599.tif 000005
【図２ａ】
2018536599.tif 000006
【図３】
2018536599.tif 000007
【図４】
2018536599.tif 000008
【図５】
2018536599.tif 000009
【図６】
2018536599.tif 000010
【図６ａ】
2018536599.tif 000011
【図７】
2018536599.tif 000012
【図８】
2018536599.tif 000013
【図９】
2018536599.tif 000014
【国際調査報告】
2018536599.tif 000015
2018536599.tif 000016